(57)【要約】【課題】  本発明は、屋内でも園芸鉢に充分潅水できること、その水切りができること、溜り水が見えないこと、さらに、溜り水を棄てる必要もないこと、蚊の発生源とならないこと、これらを実現する、シンプルな構造の園芸鉢の受器を提供することを課題とする。【解決手段】  天板に水切口を設け台脚の下部に通水口を設けた伏箱型の受台をこれより適度に幅が広くて突縁の有る受箱の中央に収まるようにしてこの受台の天板の上に突縁に渉る防蚊用細網を敷設する。【選択図】図１
2010051302.tif 000002
【特許請求の範囲】
【請求項１】
天板に水切口を設け台脚の下部に通水口を設けた伏箱型の受台をこれよりも適度に幅が広く突縁の有る受箱の中央に収まるようにし、受台の天板の上に突縁に渉る防蚊用細網を敷設して成る園芸鉢の受器。
【発明の詳細な説明】
【技術分野】
【０００１】  本発明は、建物内や玄関先に置く植木鉢や草花鉢などの園芸鉢への潅水の助けとなり、そして、その貯水部が蚊の発生源になることがない、園芸鉢の受器に関するものである。
【背景技術】
【０００２】  充分な潅水と、その後の水切りは、容器園芸の基本である。
プランターと称する栽培容器は、大抵、水切用底敷とゴム栓付の排水口を備えている。
植木鉢や草花鉢などの園芸鉢に関しても水切りをテーマとしたアイデアは多数あるが、鉢底に水切口を開けただけのものが製品の殆どであり、これをルーム、ホール、ベランダなどに置く時、潅水の余水受けとして、プラスチック製や陶磁器製の受皿を敷いていた。
この受皿が深いと、充分に潅水できるが、鉢底が溜り水に浸ることになりがちであり、植物が根腐れ、空気不足、肥料分流失などの湿害を起こしやすいので、多量に溜った水はすぐ棄てる必要があり、受皿が浅いと、水が溢れやすいので、潅水量を控えがちだった。【０００３】  そこで、園芸鉢自体ではなく、潅水した場合に鉢底が溜り水よりも上になるようにして水切りができるようにする（園芸鉢の受器）に関するアイデアが数多く開示されている。
例えば、カバー器内に受台を据える実開昭５４−１０８５９号、水切りのある仕切板で貯水部を分ける実開昭６０−１６２４３６号、全体を箱状の受台としてその上面に枠縁と網付の水切口を設ける実開平２−１００４３７号など（参照）、種々のアイデアがある。【０００４】  受皿や受器の溜り水は、汚れや臭いや次回の潅水で溢れるのが気になるものであるが、濡れて重い園芸鉢を動かすのは大変だし、汚れる、ということで、放置する場合が多い。
そこで、園芸鉢を動かさずとも溜り水を処理できる受器のアイデアも開示されている。
例えば、車輪付きの受器の側面に排水パイプを設ける実開昭５９−３６９５９号とか、吊下式受器の底に排水チューブを設ける実開昭５９−１９６０６３号、また、脚の付いた受器の下に引出し自在な排水受箱を設置する登録実案第３０５００２８号など（参照）。
【発明の開示】
【発明が解決しようとする課題】
【０００５】  蚊は産卵後三日ほどでボウフラになり、十日ほど経つと羽化するので、園芸鉢の受皿、シート、放置容器などに溜り水がないようにと、役所や保健所が注意を呼び掛けている。
本来は飛来できないマンションの高層階に蚊が多くいるという現象が次々と報告され、調べると、蚊は、人に付いて共にエレベーターで高層階まで昇り、ベランダに設置された園芸鉢の受皿の溜り水を繁殖の手段としていたのだ、という０７年のテレビ報道もある。
夏場、二週間以上残った溜り水は、それがわずかでも蚊の発生源になり得るのである。【０００６】  一連の園芸鉢の受器に関するアイデアに防蚊まで考慮したものを見受けない。
実開平２−１００４３７号（前記）は、閉鎖的な構造なので結果的に蚊が侵入できないかもしれないが、製作しにくい構造であり、水分の蒸発がしにくい構造である。
防虫網で受皿を被覆する、特開２００２−３４３４６号（参照）のアイデアもあるが、この受皿には園芸鉢の水切り、排水、棄水等に役立つ機能があるものではない。
前記の、園芸鉢を動かさず溜り水を処理できる、という受器のアイデアも、最終的には溜り水を棄てる作業があるわけであり、これを忘れたり、怠ることがあり得る。【０００７】  本発明は、屋内でも園芸鉢に充分に潅水できること、その水切りが完全にできること、溜り水が見えないこと、さらに、溜り水を棄てる必要もないこと、蚊の発生源にならないこと、これらをシンプルな構造で実現する園芸鉢の受器を提供することを課題とする。
【課題を解決するための手段】
【０００８】  内部空間が広い伏箱型の受台をこれよりも適度に幅が広くて突縁のある受箱に収める。
受台の天板に水切口を設け、台脚の下部には通水口を設けて受箱全体への通水を計る。
蚊が侵入できないよう、受台の天板の上に受箱の突縁に渉る防蚊用の細網を敷設する。
【発明の効果】
【０００９】  この受器は、貯水容積が大きいので、溢水の心配も、溜り水を毎度棄てる面倒もない。
この受器は、水切り加え、多少の湿気をもたらす作用があり、植物の健康効果がある。
この受器は、汚ない溜り水や器体の水垢などが見えることがないので、清潔感がある。
この受器は、防蚊網があり、溜り水の蒸発もスムーズなので、蚊の発生源とならない。
この受器は、突縁があるので、安定した積み重ねができ、搬送や店頭置きがしやすい。
この受器は、潅水余水の視認・処理が大変な鉢カバー内に使用して有効・有用である。
この受器は、シンプルな構造なので、製作しやすく、軽く、分解・清掃も容易である。
この受器は、屋内で園芸鉢を管理する者にディスプレイと水遣りの楽しさをもたらす。
【発明を実施するための最良の形態】
【００１０】  図１は、本発明の受器の実施例を表わす縦断面図である。
その内部空間が貯水用空間となる伏箱型の受台（１）を、幅がこれよりも適度に大きい受箱（２）の中央に収めており、受台（１）の天板（３）には、滴水のためと、ここから水分の蒸発もしやすいように、円い水切口（４）（溝状でも可）を全面的に設けている。
受台（１）の台脚の下部には受箱（２）に通じる通水口（５）を複数箇所設けている。
受箱（２）の上部に突縁（６）を設けており、その内径を、受箱（２）の底部がここに丁度に収まることを想定したサイズとしているが、その立枠の高さは適宜に設定できる。
天板（３）の上には受箱（２）の突縁（６）に渉る防蚊用細網（７）を敷設している。【００１１】  本発明の伏箱型の受台というものは、園芸鉢という相当の重量物を戴置するのに充分な強度を得られる構造体であり、かつ、その広い内部空間が貯水空間にもなるわけである。【００１２】  本発明では、受台と受箱との間に水分蒸発を目的とした適度な空隙ができるようにするので、受台が受箱の中央に来るように位置決め（ストッパー）をする工夫が必要となる。
この実施例では、受台（１）をこれより幅の広い受箱（２）の中央に収める手段として受箱（２）の底に受台（１）の位置決め（ストッパー）として突起（７）を数カ所設けているが、この突起（７）は、台脚の内側に設けても外側に設けても効果に変わりはない。
受台の位置決め（ストッパー）の手段として、他にも、受台の平面を型抜きした適当な厚みのある板体を受箱の底面に敷設し、ここに台脚を嵌挿して固定する方法などもある。
請求項１でいう（伏箱型の受台をこれよりも適度に幅が広くて突縁の有る箱型の受箱の中央に収まるように）とは位置決め（ストッパー）の手段を講じていることを意味する。【００１３】  受台（１）の天板（３）に置いた園芸鉢へ潅水すると、余水は、水切口（４）から受台（１）内部に滴水し、通水口（５）を通って受箱（２）と受台（１）の間の空隙に到る。
受台（１）内部の溜り水は、水切口（４）から防蚊用細網（７）を通して蒸発するが、空隙部分の溜り水は、蓋となる天板（３）や園芸鉢がないため蒸発しやすいことになる。
即ち、この受器は、蚊の侵入を閉ざしながら、溜り水の蒸発を促す構造となっている。【００１４】  園芸鉢の水切口がある鉢底というものは、大抵、床面よりも少し上に設置されており、この鉢底と床面との隙間への通気口として、鉢の最下部側面に欠切部が設けられている。
蚊がここを通り、水切口（４）を潜り抜けて貯水部に到達することも想定されるので、容器全面に渉って蓋のように防蚊用細網（８）で覆うようにするものであり、防蚊用細網（７）は、そのままでは目につく空隙部分の汚い水垢とか溜り水を覆い隠す効果もある。【００１５】  無闇な潅水で溜り水の水位が天板（３）以上になった場合を想定すると、突縁（６）の立枠が溢水を防ぎ、その情況が視認されるので、それ以上の過剰な潅水を停止できる。
そして、この場合、突縁（６）まで来た溜り水を汎用スポンジに吸わせてバケツなどに移すことができるし、濡れて重い園芸容器を動かさずに行えるその作業は容易である。【００１６】  図２は、円形に設定した本発明の受器の平面図を表わしている。
本発明の受器は、この円形のものだけでなく、方形のものも設定することができる。【００１７】  図３は、本発明の受器を積み重ねた様子を示す縦断面図である。
突縁（６）は、潅水の飛沫受けや溢水の防止に役立つが、このように受器を積み重ねる場合、上に積む受器の底部を確然と保持する働きをすることになり、商品としての受器を多段に梱包・搬送・陳列・保管する際の荷体の安定性、収納性に寄与することになる。【００１８】  図４は、本発明の受器に植木鉢を戴置した様子を表わしている。
このように、園芸鉢が貯水部に浸らないので、この受器の内部空間は全部貯水用空間となるし、溢水を防止する突縁部もあるので、この受器は貯水容積が大きいことになる。
また、このように、この受器は、祭器の三方のような体裁で戴置する姿形に趣きがあるので、相応の質感を得て、戴置という様式のディスプレイの効果を存分に発揮できる。【００１９】図５は、図４の例に鉢カバーを組み合わせた様子を表わしている。
屋内に置く植木鉢は、よく、鉢カバーをして雰囲気を高めるものであるが、鉢カバーを使用すると、底部の溜り水の様子を視認しにくいし、その溜り水の処理も大変だった。
この受器を内設すると、充分な潅水と楽な余水管理ができて、蚊発生の虞れもない。【００２０】  鉢カバーをする場合、鉢が見えないように、受台の高さは低めの方がよいが、突縁部が溢水を防ぐし、外箱もあるので、貯水量の余裕を見ても受台に余程の高さは要らない。
この受器は、横幅の設定に制限性はないので、各種園芸容器に段階的に対応できる。
【図面の簡単な説明】
【００２１】
【図１】  本発明の受器の縦断面図
【図２】  本発明の円形受器の平面図
【図３】  本発明の受器の重なり具合を示す縦断面図
【図４】  本発明の受器の使用状態を表わす立面図
【図５】  図４の例に鉢カバーを組み合わせた状態を表わす立面図
【符号の説明】
【００２２】    １  受台
２  受箱
３  天板
４  水切口
５  通水口
６  突縁
７  防蚊用細網
８  突起
【図１】
2010051302.tif 000003
【図２】
2010051302.tif 000004
【図３】
2010051302.tif 000005
【図４】
2010051302.tif 000006
【図５】
2010051302.tif 000007